(57)【要約】【課題】測定プログラム，測定方法，測定システムに関し、エタノール混合ガソリンの組成に関する情報をユーザーが手軽に取得できるようにする。【解決手段】  所定量のエタノール混合ガソリンの試料を容器２０の内部に収容させる。エタノール及び水の混合相２１とガソリン相２２とに相分離するまで、水をユーザーに添加させる。相分離したときの容器２０の写真をユーザーに撮影させ、ガソリン相２２及び混合相２１を含む高さ方向の全長（HA+HB）に対する混合相の高さ（HA）の割合Aを計測する。割合Aとエタノール濃度Dとの関係を利用してエタノール濃度Dを推定し、エタノール濃度Dの情報をユーザーに提示する。【選択図】図１
2019219271.tif 000002
【特許請求の範囲】
【請求項１】
エタノール混合ガソリンの組成に関する情報を測定する測定プログラムであって、
所定量の前記エタノール混合ガソリンの試料が収容された容器の内部に対し、ガソリン相とエタノール及び水の混合相とに相分離するまで水をユーザーに添加させるとともに、前記容器の内部で相分離したときの前記容器の写真を前記ユーザーに撮影させるメッセージを表示し、
前記容器の写真に基づき、前記ガソリン相及び前記混合相を含む高さ方向の全長に対する前記混合相の高さの割合を計測し、
前記割合と前記エタノール混合ガソリンに含まれるエタノール濃度との関係を利用して、前記エタノール濃度を推定し、
推定された前記エタノール濃度の情報を前記ユーザーに提示する
処理をコンピューターに実行させる、測定プログラム。
【請求項２】
前記試料が相分離したときの温度を計測するとともに、
前記エタノール濃度の推定に際し、前記割合と前記温度と前記エタノール濃度との関係を規定する第一データベースを用いて、前記エタノール濃度を推定する
処理をコンピューターに実行させる、請求項１記載の測定プログラム。
【請求項３】
前記試料で相分離が発生する最大含水量と前記エタノール濃度との関係を利用して、前記エタノール混合ガソリンの含水率を推定する
処理をコンピューターに実行させる、請求項１または２記載の測定プログラム。
【請求項４】
前記試料が相分離したときの温度を計測するとともに、
前記含水率の推定に際し、前記最大含水量と前記温度と前記エタノール濃度との関係を規定する第二データベースを用いて、前記含水率を推定する
処理をコンピューターに実行させる、請求項３記載の測定プログラム。
【請求項５】
エタノール混合ガソリンの組成に関する情報を取得する測定方法であって、
所定量の前記エタノール混合ガソリンの試料を容器に収容する工程と、
前記試料がガソリン相とエタノール及び水の混合相とに相分離するまで前記容器の内部に水を添加する工程と、
前記試料が相分離した時点で、高さ方向の全長に対する前記混合相の高さの割合を計測する工程と、
前記割合と前記エタノール混合ガソリンに含まれるエタノール濃度との関係を利用して、前記エタノール濃度を推定する工程と
を備えたことを特徴とする、測定方法。
【請求項６】
フレックス燃料車で使用されるエタノール混合ガソリンの組成に関する情報を取得する測定システムであって、
所定量の前記エタノール混合ガソリンの試料を収容する容器と、
前記試料がガソリン相とエタノール及び水の混合相とに相分離するまで前記容器の内部に水を添加する添加装置と、
前記試料が相分離した時点で、高さ方向の全長に対する前記混合相の高さの割合を計測する計測装置と、
前記割合と前記エタノール混合ガソリンに含まれるエタノール濃度との関係を利用して、前記エタノール濃度を推定する推定装置と
を備えたことを特徴とする、測定システム。
【発明の詳細な説明】
【技術分野】
【０００１】
本発明は、エタノール混合ガソリンの組成に関する情報を測定するための測定プログラム，測定方法，測定システムに関する。
【背景技術】
【０００２】
従来、フレックス燃料車（FFV，Flexible-Fuel Vehicle）で使用される石油燃料の代替資源の一つとして、エタノール混合ガソリンが知られている。エタノール混合ガソリンとは、ガソリンとバイオエタノールとを混合してなる燃料であり、ガソホール（Gasohol，Gasolineとalcoholとを組み合わせた造語）とも呼ばれる。ここでいうバイオエタノールとは、工業的に製造される合成エタノールではなく、サトウキビやキャッサバなどのバイオマスから蒸留される天然由来のエタノールを意味する。ガソホールで走行するフレックス燃料車は、日本国内では普及していないものの、アメリカ合衆国をはじめとしてブラジル，フランス，スウェーデン，東南アジア，アフリカ諸国など、世界各国で普及している。
【０００３】
ガソホールには、バイオエタノールの混合率によってE10（10％配合），E25（25％配合），E85（85％配合）といった複数の種類が存在し、ユーザーが自由に燃料の種類を選択して使用できる国もある。そのため、フレックス燃料車の燃料タンク内におけるエタノール濃度が、給油の前後で変化することがある。一方、フレックス燃料車に搭載されるエンジン（内燃機関）を適切に制御するには、エタノール濃度を精度よく把握し、そのエタノール濃度に応じて燃料噴射量やタイミングを調節することが望ましい。
【０００４】
ガソホール中のエタノール濃度の測定手法としては、液体シンチレーション法が知られてる。これは、バイオエタノールが炭素の放射性同位体として半減期の長い14C（炭素14）を含むのに対し、化石由来のガソリンが14Cをほとんど含まないという特性を利用して、エタノール濃度を推定する手法である。また、ガソホールをエンジンの排気通路に供給したときの排気空燃比の変化に基づいて、エタノール濃度を判定する手法も知られている。これは、エタノール濃度によって蒸発の進行速度が変化するという特性を利用して、エタノール濃度を推定する手法である。これらの手法を用いることで、ガソホール中のエタノール濃度を把握することができる（特許文献１，２参照）。
【先行技術文献】
【特許文献】
【０００５】
【特許文献１】特開2008-297489公報
【特許文献２】国際公開第2010/106635号
【発明の概要】
【発明が解決しようとする課題】
【０００６】
しかしながら、従来の測定手法は、測定条件や測定時間の制約が大きく、ユーザーが手軽に測定できるようなものではない。例えば、特許文献１の手法では、ガソホールの試料に添加されるシンチレーターの発光を放射線測定器（シンチレーション検出器）で検出することになり、専門業者に分析を依頼しなければならない。また、特許文献２の手法は、エンジンを作動させた状態でガソホールを排気通路内に噴射する必要があり、エンジンの作動前にエタノール濃度を測定することができない。このように、既存の手法は利便性に難があり、車両の故障時，動作不調時，メンテナンス時などに、手軽にガソホールの成分を測定することができない。
【０００７】
本件の目的の一つは、上記のような課題に鑑みて創案されたものであり、エタノール混合ガソリンの組成に関する情報をユーザーが手軽に取得できるようにした測定プログラム，測定方法，測定システムを提供することである。ここでいう「組成に関する情報」には、少なくともエタノール濃度の情報が含まれ、好ましくは含水率の情報が含まれる。なお、この目的に限らず、後述する「発明を実施するための形態」に示す各構成から導き出される作用効果であって、従来の技術では得られない作用効果を奏することも、本件の他の目的として位置付けることができる。
【課題を解決するための手段】
【０００８】
（１）本件の測定プログラムは、エタノール混合ガソリンの組成に関する情報を測定する測定プログラムであり、以下の処理をコンピューターに実行させる。
Ａ．所定量の前記エタノール混合ガソリンの試料が収容された容器の内部に対し、ガソリン相とエタノール及び水の混合相とに相分離するまで水をユーザーに添加させるとともに、前記容器の内部で相分離したときの前記容器の写真を前記ユーザーに撮影させるメッセージを表示する。
Ｂ．前記容器の写真に基づき、前記ガソリン相及び前記混合相を含む高さ方向の全長に対する前記混合相の高さの割合を計測する。
Ｃ．前記割合と前記エタノール混合ガソリンに含まれるエタノール濃度との関係を利用して、前記エタノール濃度を推定する。
Ｄ．推定された前記エタノール濃度の情報を前記ユーザーに提示する。
【０００９】
（２）上記の測定プログラムに関して、前記試料が相分離したときの温度を計測することが好ましい。また、前記エタノール濃度の推定に際し、前記割合と前記温度と前記エタノール濃度との関係を規定する第一データベースを用いて、前記エタノール濃度を推定することが好ましい。
（３）前記試料で相分離が発生する最大含水量と前記エタノール濃度との関係を利用して、前記エタノール混合ガソリンの含水率を推定することが好ましい。
（４）前記試料が相分離したときの温度を計測するとともに、前記含水率の推定に際し、前記最大含水量と前記温度と前記エタノール濃度との関係を規定する第二データベースを用いて、前記含水率を推定することが好ましい。
【発明の効果】
【００１０】
相分離した試料における混合相の割合に基づく推定により、簡素な構成で素早く手軽にエタノール混合ガソリンの組成に関する情報（例えば、エタノール濃度や含水率）を測定することができる。
【図面の簡単な説明】
【００１１】
【図１】測定システムの構成を説明するための図である。
【図２】測定システムのハードウェア構成を説明するための図である。
【図３】測定プログラムの機能を説明するためのブロック図である。
【図４】混合相の割合Aと温度Cとエタノール濃度Dとの関係を示すグラフである。
【図５】温度Cとエタノール濃度Dと最大含水量Fとの関係を示すグラフである。
【図６】測定方法を説明するためのフローチャートである。
【図７】（Ａ）〜（Ｃ）はユーザーに提示される情報の表示例を示す図である。
【図８】変形例としての測定システムの構成を説明するための図である。
【発明を実施するための形態】
【００１２】
以下、図面を参照して実施形態としての測定プログラム，測定方法，測定システムについて説明する。測定対象は、エタノール混合ガソリン（ガソホール）であり、その組成に関する情報が測定される。ここでいう「組成に関する情報」には、少なくともエタノール濃度Dの情報が含まれ、好ましくは含水率Gの情報が含まれる。以下に示す実施形態はあくまでも例示に過ぎず、以下の実施形態で明示しない種々の変形や技術の適用を排除する意図はない。本実施形態の各構成は、それらの趣旨を逸脱しない範囲で種々変形して実施することができる。また、必要に応じて取捨選択することができ、あるいは適宜組み合わせることができる。
【００１３】
［１．ハードウェア構成］
図１は、スマートフォン１０を利用したエタノール濃度D及び含水率Gの測定状況を示す図である。エタノール混合ガソリンの試料は、外部から内容物が確認できる材質（透明または半透明）の容器２０に収容される。容器２０の容量や形状は、取扱いの容易さから小型であることが好ましく、十〜百cm3程度（半カップ以下）の容積があればよい。容器２０の組成は、ガソリンの揮発成分に対する不透過性の高い合成樹脂やガラスとする。
【００１４】
測定の手順は以下の通りである。まず、ユーザーが容器２０に所定量Xのエタノール混合ガソリンの試料を収容する。「所定量X」はあらかじめ設定された所定の体積を意味し、例えば40cm3である。続いて、試料がエタノール及び水の混合相２１とガソリン相２２とに相分離するまで、水を少しずつ添加する。その後、試料が相分離した時点で、その相分離の状態がわかるように、スマートフォン１０で容器２０を撮影するとともに、水の添加量Bをスマートフォン１０に入力する。これを受けて、スマートフォン１０は、測定以前の試料に含まれていたエタノールの濃度（エタノール濃度D）と水分の濃度（含水率G）とを算出し、それらの情報をユーザーに提示する。なお、相分離の状態を撮影する代わりに、相分離の状態が特定される情報（例えば、混合相２１，ガソリン相２２のそれぞれの高さ寸法など）をユーザーが手作業で入力するような制御構成としてもよい。
【００１５】
スマートフォン１０には、記録媒体１８（リムーバブルメディア）に記録されたプログラムを読み込むための記録媒体ドライブ１１，記憶装置１２，表示装置１３，入力装置１４，撮像装置１５，通信装置１６，温度センサー１７，コンピューター３０が設けられる。  記録媒体１８は、例えばフラッシュメモリーカードやユニバーサルシリアルバス規格に準拠した半導体メモリ装置，光ディスクなどである。記録媒体ドライブ１１は、記録媒体１８に記録，保存された情報（プログラムやデータ）を読み取る読取装置である。記憶装置１２は、長期的に保持されるデータやプログラムが格納されるメモリ装置であり、例えばフラッシュメモリやEEPROM（Electrically Erasable Programmable Read-Only Memory），ソリッドステートドライブなどの不揮発性メモリがこれに含まれる。
【００１６】
表示装置１３は、コンピューター３０の処理結果を視覚的に出力するためのデバイスの一つであり、例えば液晶ディスプレイ（Liquid Crystal Display，LCD）や有機ELディスプレイ（Organic Electro-Luminescence Display，OELD）である。測定結果は表示装置１３に表示される。また、ユーザーが容器２０を撮影したときの撮影画像も、表示装置１３に表示される。入力装置１４は、コンピューター３０への情報入力のための装置である。本実施形態の入力装置１４は、表示装置１３の表面に重畳状態で取り付けられたタッチパネルである。スマートフォン１０に物理キーが設けられている場合には、その物理キーを入力装置１４として用いてもよい。ユーザーによる水の添加量Bの入力操作は、入力装置１４を介して実施される。
【００１７】
撮像装置１５は、CCD（Charge-Coupled Device）やCMOS（Complementary Metal Oxide Semiconductor）などのイメージセンサを内蔵したディジタルカメラ（撮像装置）やイメージスキャナ，ビデオカメラなどである。撮像装置１５で取得された撮影画像の情報は、コンピューター３０に入力される。通信装置１６は、スマートフォン１０の外部との通信を管理する装置である。また、近距離無線通信規格に準拠した入出力装置（例えば、無線キーボードや無線マウスなど）がスマートフォン１０に接続される場合には、それらの入出力装置が通信装置１６を介して接続される。温度センサー１７は、スマートフォン１０の外部の温度C（気温）を検出するセンサーである。温度Cの情報は、エタノール濃度Dの推定時に参照される。
【００１８】
コンピューター３０には、プロセッサー３１（中央処理装置），メモリ３２（メインメモリ，主記憶装置），補助記憶装置３３，インタフェース装置３４などが内蔵され、バス３５を介して互いに通信可能に接続される。プロセッサー３１は、制御ユニット（制御回路）や演算ユニット（演算回路），キャッシュメモリ（レジスタ群）などを内蔵する中央処理装置である。また、メモリ３２は、プログラムや作業中のデータが格納される記憶装置であり、例えばROM（Read Only Memory），RAM（Random Access Memory）がこれに含まれる。
【００１９】
補助記憶装置３３は、メモリ３２よりも長期的に保持されるデータやファームウェアが格納されるメモリ装置であり、例えばフラッシュメモリやEEPROMなどの不揮発性メモリがこれに含まれる。また、インタフェース装置３４は、コンピューター３０と外部との間の入出力（Input and Output；I/O）を司るものである。コンピューター３０は、インタフェース装置３４を介して、記録媒体ドライブ１１，記憶装置１２，表示装置１３，入力装置１４，撮像装置１５，通信装置１６，温度センサー１７などに接続される。
【００２０】
［２．ソフトウェア構成］
図３は、スマートフォン１０で実行される測定プログラム９の処理内容を説明するためのブロック図である。これらの処理内容は、スマートフォン１０に内蔵された記憶装置１２内や記録媒体１８上にアプリケーションプログラムとして記録されており、メモリー上に展開されて実行される。ここで実行される処理内容を機能的に分類すると、測定プログラム９には、第一データベース１，第二データベース２，表示部３，計測部４，推定部５，提示部６が設けられる。これらの要素は、スマートフォン１０での制御内容を便器的に分類して示したものであり、個々の要素を独立したプログラムとして記述してもよいし、複数の要素の機能を兼ね備えた複合プログラムとして記述してもよい。
【００２１】
第一データベース１は、試料が相分離したときの混合相２１の割合Aと温度Cとエタノール濃度Dとの関係を規定するデータベースである。ここで、図１中に示すように、容器２０内における混合相２１の高さをHAとおき、ガソリン相２２の高さをHBとおく。割合Aは、ガソリン相２２及び混合相２１を含む高さ方向の全長（HA+HB）に対する混合相２１の高さ（HA）の割合であり、以下の式１に基づいて百分率で与えられる。なお、ここでいう割合Aは、第一データベース１に規定される関係を満たす割合Aを意味しており、厳密な比率（体積比や重量比）である必要はない。したがって、容器２０の水平断面積が高さ方向に一定でなくてもよい。
【００２２】
【数１】
2019219271.tif 000003
【００２３】
試料に添加される水が少量であれば、その水が試料中のエタノール成分の近傍に拡散した状態となり、混合相２１とガソリン相２２との相分離は発生しない。一方、水の添加量Bが増加すると、エタノール及び水の混合物がガソリン成分から分離した状態となり、容器２０の下方に沈降する。このような混合相２１とガソリン相２２との相分離は、エタノール濃度Dが低いほど発生しやすく、温度Cが低温であるほど発生しやすい。また、相分離が発生したときの混合相２１の高さHAは、エタノール濃度Dに応じた寸法となる。したがって、相分離が発生した時点における混合相２１の割合Aに基づいて、エタノール濃度Dを推定することが可能となる。ただし、相分離が発生した後も水を加え続けた場合には、割合Aがさらに増加し、エタノール濃度Dを精度よく推定できなくなってしまう。したがって、水を添加する際には、スポイトやピペットを用いて少量ずつ（例えば、0.05〜0.1cm3ずつ）滴下することが好ましい。
【００２４】
第一データベース１に規定される混合相２１の割合Aと温度Cとエタノール濃度Dとの関係を、図４に例示する。この関係は、容器２０に所定量X（例えば、40cm3）のエタノール混合ガソリンを収容した上で、相分離するまで水を添加したときの、割合Aと温度Cとエタノール濃度Dとの関係を実測することによって得られたものである。温度Cが一定であるとき、割合Aはエタノール濃度Dが高いほど上昇する特性を持ち、およそ50[%]前後までは割合Aがエタノール濃度Dに対して線形に増大する。このとき、割合Aの上昇勾配は１よりも大きい勾配となる。また、エタノール濃度Dが50[%]前後を超えると、割合Aの上昇勾配がやや小さくなり、割合Aが徐々に100[%]へと漸近するような挙動を示す。温度Cが高い場合には、温度Cが低い場合よりも、同一のエタノール濃度Dに対して割合Aが大きくなる。
【００２５】
第二データベース２は、最大含水量Fと温度Cとエタノール濃度Dとの関係を規定するデータベースである。最大含水量Fとは、エタノール混合ガソリンに相分離が発生しない最大の水分量を意味する。図５は、最大含水量Fと温度Cとエタノール濃度Dとの関係を例示するグラフである。このグラフは、水分を含まずエタノール濃度Dが既知のエタノール混合ガソリンを用いて、相分離が発生するまで水を添加したときの測定結果である。最大含水量Fは、エタノール濃度Dが高いほど上昇する特性を持ち、およそ60[%]前後までは割合Aがエタノール濃度Dに対して線形に増大する。また、最大含水量Fの増加勾配は、エタノール濃度Dが増加するにつれて大きくなる。温度Cが高い場合には、温度Cが低い場合よりも、同一のエタノール濃度Dに対して最大含水量Fが大きくなる。
【００２６】
なお、試料に添加された水の添加量Bは、ユーザーが把握しているはずである。しかし、試料を採取する以前から燃料中に含まれていた水分量については、ユーザーにとって未知の情報である。一方、相分離が発生した時点でその試料中に存在する水分量は、第二データベース２に規定されている最大含水量Fに対応する値であると考えられる。したがって、最大含水量Fと添加量Bとを参照することで、試料を採取する以前から燃料中に含まれていた水分量や含水率Gを推定することが可能となる。
【００２７】
表示部３は、測定の手順を説明するメッセージをユーザーに表示するものである。ここでは、以下の二種類のメッセージが表示装置１３に表示される。ユーザーは、表示装置１３に表示されたメッセージに従って測定を実施すればよい。
１．試料が相分離するまで水を添加させる指示
２．相分離した時点における試料の写真を撮影させる指示
【００２８】
計測部４は、撮像装置１５で撮影された容器２０の画像に基づき、割合Aを計測するものである。例えば、公知のエッジ検出処理を容器２０の画像に施してエッジ画像を生成し、エッジ画像中における混合相２１の高さ（HA）とガソリン相２２の高さ（HB）とを計測する。これらの値を式１に代入することで、割合Aが得られる。なお、割合Aの値をユーザーに入力させてもよい。この場合、例えば図７（Ｂ）に示すように、ユーザーが編集可能なテキストボックスを表示装置１３に表示させておき、入力装置１４による操作で混合相２１の割合Aを入力させてもよい。
【００２９】
推定部５は、エタノール濃度D及び含水率Gの推定演算を実施するものである。エタノール濃度Dは、第一データベース１に規定された関係を利用して、混合相２１の割合Aと温度Cとに基づいて推定される。例えば、図４に示すグラフから、混合相２１の割合Aと温度Cとに対応するエタノール濃度Dが算出される。また、含水率Gは、第二データベース２に規定された関係を利用して、エタノール濃度Dと温度Cとに基づいて推定される。
【００３０】
例えば、図５に示すグラフから、エタノール濃度Dと温度Cとに対応する最大含水量Fが算出され、この最大含水量Fから水の添加量Bを減じた値が、試料の含水量E（試料に水を添加する前の含水量）として算出される。ここで、試料の体積は所定量Xであることから、含水率Gは所定量Xに対する含水量Eの割合として算出することができる。
提示部６は、推定部５で推定されたエタノール濃度D及び含水率Gの情報をユーザーに提示するものである。これらの情報は、表示装置１３に表示される。
【００３１】
［３．フローチャート］
図６は、エタノール混合ガソリンのエタノール濃度D及び含水率Gの測定方法を説明するためのフローチャートである。まず、所定量のエタノール混合ガソリンの試料が収容された容器２０を、ユーザーが用意する（ステップＡ１）。ユーザーがスマートフォン１０にインストールされた測定プログラムを起動すると、図７（Ａ）に示すように、測定の手順を説明するメッセージがスマートフォン１０の表示装置１３に表示される。ユーザーはその手順に従って、容器２０内の試料に水を少しずつ添加し、攪拌すればよい（ステップＡ２）。このような操作が、試料が相分離するまで繰り返される（ステップＡ３）。
【００３２】
試料が相分離すると、スマートフォン１０の撮像装置１５で容器２０の画像が撮影される（ステップＡ４）。計測部４は、その写真に所定の画像処理を施すことによって、混合相２１の割合Aを計測する（ステップＡ５）。このとき、図７（Ｂ）に示すように、水の添加量Bの情報がユーザーによって入力される（ステップＡ６）。また、スマートフォン１０の温度センサー１７で、温度Cの情報が取得される（ステップＡ７）。なお、スマートフォン１０に温度センサー１７が内蔵されていない場合には、ユーザーに温度Cの情報を入力させればよい。
【００３３】
推定部５は、混合相２１の割合Aと温度Cとに基づき、第一データベース１に規定された関係を利用して、エタノール濃度Dを算出する（ステップＡ８）。また、このステップで推定されたエタノール濃度Dと温度Cとに基づき、第二データベース２に規定された関係を利用して、最大含水量Fを算出する（ステップＡ９）。これにより、試料に水を添加する前の含水量Eは、最大含水量Fから添加量Bを減じることで算出される（ステップＡ１０）。また、含水率Gは、所定量Xに対する含水量Eの割合として算出される（ステップＡ１１）。ステップＡ８，Ａ１１で得られたエタノール濃度D及び含水率Gの情報は、図７（Ｃ）に示すように表示装置１３に表示され、直ちにユーザーに提示される。
【００３４】
［４．作用・効果］
（１）上記の測定手法によれば、混合相２１の割合Aに基づいてエタノール濃度Dが推定される。このような推定を実施するためには、第一データベース１に少なくとも混合相２１の割合Aとエタノール濃度Dとの関係を規定しておけばよい。つまり、混合相２１の割合Aとエタノール濃度Dとの関係を利用することで、簡素な構成で混合相２１の割合Aからエタノール濃度Dを素早く手軽に推定することが可能となる。また、エタノール混合ガソリンを実際にエンジンで燃焼させる前に、エタノール濃度Dを計測できるため、フレックス燃料車に搭載されるエンジンの制御性を向上させることができる。さらに、放射線測定器で炭素の放射性同位体を計測するような必要がなく（特許文献１参照）、専門の測定業者に頼らずにエタノール濃度Dを計測できるため、利便性が高いというメリットがある。
【００３５】
（２）図４に示すように、混合相２１の割合Aと温度Cとエタノール濃度Dとの三者関係を第一データベース１に規定しておくことで、温度Cの影響を考慮して、正確なエタノール濃度Dの値を推定することが可能となる。つまり、温度環境に依存することなく、安定した精度でエタノール濃度Dを測定することができ、利便性をさらに向上させることができる。なお、測定環境の温度Cが一定であるとみなせる場合には、温度Cの情報を省略可能であることは言うまでもない。
【００３６】
（３）上記の測定手法によれば、試料で相分離が発生する最大含水量Fとエタノール濃度Dとの関係を利用して、含水率Gが推定される。これにより、簡素な構成で素早く手軽に含水率Gを推定することができる。また、エタノール混合ガソリンを実際にエンジンで燃焼させる前に含水率Gを計測でき、エンジンの制御性をさらに向上させることができる。
【００３７】
（４）図５に示すように、最大含水量Fと温度Cとエタノール濃度Dとの三者関係を第二データベース２に規定しておくことで、温度Cの影響を考慮して、正確な含水率Gの値を推定することが可能となる。つまり、温度環境に依存することなく、安定した精度で含水率Gを測定することができ、利便性をさらに向上させることができる。なお、エタノール濃度Dの推定と同様に、測定環境の温度Cが一定であるとみなせる場合には、温度Cの情報を省略可能であることは言うまでもない。
【００３８】
［５．変形例］
上記の実施形態はあくまでも例示に過ぎず、本実施形態で明示しない種々の変形や技術の適用を排除する意図はない。本実施形態の各構成は、それらの趣旨を逸脱しない範囲で種々変形して実施することができる。また、必要に応じて取捨選択することができ、あるいは適宜組み合わせることができる。
【００３９】
例えば、上述の実施形態では、スマートフォン１０の撮像装置１５で撮影された容器２０の画像に基づいて混合相２１の割合Aが計測されているが、割合Aの値をユーザーに入力させてもよい。容器２０に収容される試料の体積が所定量Xであることから、容器２０の側面にあらかじめ目盛りを付しておけば、ユーザーが容易に混合相２１の割合Aを読み取ることができ、割合Aの値を容易に入力することができる。したがって、混合相２１の割合Aを自動認識するような機能を省略したとしても、上述の実施形態と同様に、素早く手軽にエタノール濃度D，含水率Gを推定することが可能である。
【００４０】
また、上述の実施形態では、試料が相分離するまでの操作をユーザーが手作業で実施するようになっているが、ユーザーによる手作業を排して自動化することも一案である。例えば図８に示すように、フレックス燃料車５０に計測用の容器２０を搭載し、電子制御装置５１（ECU）に各種操作を実施させてもよい。すなわち、フレックス燃料車５０の燃料タンク５２と容器２０との間の燃料供給管に第一制御弁５４を介装させ、所定量Xの燃料（エタノール混合ガソリン）を容器２０に導入させる。温度Cの情報を用いる場合には、燃料タンク５２に温度センサー５３を設ける。また、水タンク５５と容器２０との間の水供給管に第二制御弁５６（添加装置）を介装させ、水を少量ずつ添加できるようにしておく。容器２０の下端部にはドレーン５７を設け、計測終了後の試料を車外に排出できるようにする。さらに、容器２０の近傍には、ビデオカメラ５８を配置する。電子制御装置５１（推定装置）は、ビデオカメラ５８（計測装置）で容器２０に収容された試料の相分離状態を監視しながら水の添加量Bを計測し、相分離が発生した時点で混合相２１の割合Aを計測する。このような制御構成により、ユーザーの手を煩わせることなく、エタノール混合ガソリンのエタノール濃度D，含水率Gを自動的に推定することができる。
【００４１】
また、上述の実施形態では、図４，図５に示すような関係が第一データベース１，第二データベース２に規定されているものとしたが、測定作業を手作業のみで実施する場合には、データベース１，２の代わりに図４，図５に示すようなグラフを用いて推定を実施すればよい。少なくとも、混合相２１の割合Aとエタノール濃度Dとの関係をあらかじめ規定しておくことで、その割合Aに対応するエタノール濃度Dを即座に推定することができる。同様に、少なくとも試料で相分離が発生する最大含水量Fとエタノール濃度Dとの関係をあらかじめ規定しておくことで、そのエタノール濃度Dに対応する最大含水量Fを即座に推定することができる。したがって、上述の実施形態と同様に、素早く手軽にエタノール濃度D，含水率Gを推定することが可能である。
【００４２】
［６．付記］
上記の変形例を含む実施形態に関し、以下の付記を開示する。
［付記１］
エタノール混合ガソリンの組成に関する情報を取得する測定方法であって、
所定量の前記エタノール混合ガソリンの試料を容器に収容する工程と、
前記試料がガソリン相とエタノール及び水の混合相とに相分離するまで前記容器の内部に水を添加する工程と、
前記試料が相分離した時点で、高さ方向の全長に対する前記混合相の高さの割合を計測する工程と、
前記割合と前記エタノール混合ガソリンに含まれるエタノール濃度との関係を利用して、前記エタノール濃度を推定する工程と
を備えたことを特徴とする、測定方法。
【００４３】
［付記２］
前記試料が相分離したときの温度を計測する工程を備え、
前記エタノール濃度の推定に際し、前記割合と前記温度と前記エタノール濃度との関係を規定する第一データベースを用いる
ことを特徴とする、付記１記載の測定方法。
【００４４】
［付記３］
前記試料で相分離が発生する最大含水量と前記エタノール濃度との関係を利用して、前記エタノール混合ガソリンの含水率を推定する工程を備える
ことを特徴とする、付記１または２記載の測定方法。
【００４５】
［付記４］
前記試料が相分離したときの温度を計測する工程を備え、
前記含水率の推定に際し、前記最大含水量と前記温度と前記エタノール濃度との関係を規定する第二データベースを用いる
ことを特徴とする、付記３記載の測定方法。
【００４６】
［付記５］
フレックス燃料車で使用されるエタノール混合ガソリンの組成に関する情報を取得する測定システムであって、
所定量の前記エタノール混合ガソリンの試料を収容する容器と、
前記試料がガソリン相とエタノール及び水の混合相とに相分離するまで前記容器の内部に水を添加する添加装置と、
前記試料が相分離した時点で、高さ方向の全長に対する前記混合相の高さの割合を計測する計測装置と、
前記割合と前記エタノール混合ガソリンに含まれるエタノール濃度との関係を利用して、前記エタノール濃度を推定する推定装置と
を備えたことを特徴とする、測定システム。
【００４７】
［付記６］
前記試料が相分離したときの温度を計測する温度センサーを備え、
前記推定装置が、前記割合と前記エタノール混合ガソリンに含まれるエタノール濃度と前記温度との関係を利用して、前記エタノール濃度を推定する
ことを特徴とする、付記５記載の測定システム。
【００４８】
［付記７］
前記推定装置が、前記試料で相分離が発生する最大含水量と前記エタノール濃度との関係を利用して、前記エタノール混合ガソリンの含水率を推定する
ことを特徴とする、付記５または６記載の測定システム。
【００４９】
［付記８］
前記試料が相分離したときの温度を計測する温度センサーを備え、
前記推定装置が、前記最大含水量と前記エタノール濃度と前記温度との関係を利用して、前記エタノール混合ガソリンの含水率を推定する
を備えたことを特徴とする、付記７記載の測定システム。
【符号の説明】
【００５０】
１  第一データベース
２  第二データベース
３  表示部
４  計測部
５  推定部
６  提示部
９  測定プログラム
１０  スマートフォン
２０  容器
２１  混合相
２２  ガソリン相
A  割合
B  添加量
C  温度
D  エタノール濃度
E  含水量
F  最大含水量
G  含水率
【図１】
2019219271.tif 000004
【図２】
2019219271.tif 000005
【図３】
2019219271.tif 000006
【図４】
2019219271.tif 000007
【図５】
2019219271.tif 000008
【図６】
2019219271.tif 000009
【図７】
2019219271.tif 000010
【図８】
2019219271.tif 000011